(57)【要約】【課題】画像領域を分割し、分割領域毎に画素信号を読み出す方式の固体撮像装置において、つなぎ合わせの部分での境界線の発生を抑える。【解決手段】複数に分割された画素領域２１と、画素領域２１毎に画素信号を読み出す手段２２，２３と、を有する固体撮像装置であって、分割された画素領域毎に画像信号のノイズの振幅値を検出するノイズ検出手段３０と、それにより検出されたノイズの振幅値が分割された画素領域のそれぞれにおいて近づくように画像信号を補正する補正値を算出する補正値算出回路３１と、分割された画素領域の画面を合成する画面合成回路２５と、それにより合成された画像信号に基づき画素領域の輪郭を強調する輪郭強調信号を生成する輪郭強調信号発生回路２８と、画面合成回路２５により合成された画像信号に基づいて得られた輝度信号と、輪郭強調信号を補正値により補正した後の輪郭強調信号と、により輪郭強調された輝度信号を生成する手段２７とを有する。【選択図】　図２
2004128725.tif 000002
【特許請求の範囲】
【請求項１】
複数に分割された画素領域と、分割された前記画素領域毎に画素信号を読み出す手段と、を有する固体撮像装置であって、
分割された前記画素領域毎に画像信号の特性値を検出し、分割された前記画素領域のそれぞれにおける前記特性値が近づくように画像信号を補正する補正回路を備えた固体撮像装置。
【請求項２】
複数に分割された画素領域と、分割された前記画素領域毎に画素信号を読み出す手段と、を有する固体撮像装置であって、
分割された前記画素領域毎に画像信号のノイズの振幅値を検出し、分割された前記画素領域のそれぞれにおける前記ノイズの振幅値が近づくように画像信号を補正する補正回路を備えた固体撮像装置。
【請求項３】
複数に分割された画素領域と、分割された前記画素領域毎に画素信号を読み出す手段と、を有する固体撮像装置であって、
分割された前記画素領域毎に画像信号のノイズの振幅値を検出するノイズ検出手段と、
該ノイズ検出手段により検出されたノイズの振幅値が、分割された前記画素領域のそれぞれにおいて近づくように画像信号を補正するための補正値を算出する補正値算出回路と、
分割された前記画素領域の画面を合成する画面合成回路と、
該画面合成回路により合成された画像信号に基づき前記画素領域の輪郭を強調する輪郭強調信号を生成する輪郭強調信号発生回路と、
前記画面合成回路により合成された画像信号に基づいて得られた輝度信号と、前記輪郭強調信号を前記補正値により補正した後の輪郭強調信号と、により輪郭強調された輝度信号を生成する手段と
を有する固体撮像装置。
【請求項４】
前記補正した後の輪郭強調信号を、前記補正値と補正前の前記輪郭強調信号とを乗算することにより得ることを特徴とする請求項３に記載の固体撮像装置。
【請求項５】
前記輪郭強調された輝度信号を、前記輝度信号と前記補正した後の輪郭強調信号とを加算することにより得ることを特徴とする請求項３又は４に記載の固体撮像装置。
【請求項６】
複数に分割された画素領域と、分割された前記画素領域毎に画素信号を読み出す手段と、を有する固体撮像装置であって、
分割された前記画素領域毎に画像信号のノイズの振幅値を検出するノイズ検出手段と、
該ノイズ検出手段により検出されたノイズの振幅値が、分割された前記画素領域のそれぞれにおいて近づくように画像信号を補正するための補正値を算出する補正値算出回路と、
分割された前記画素領域の画面を合成する画面合成回路と、
該画面合成回路により合成された画像信号に基づき前記画素領域の輪郭を強調する輪郭強調信号を生成する輪郭強調信号発生回路と、
前記輪郭強調信号発生回路の出力値と前記補正値算出回路の出力値である補正値とを乗算する乗算器と、
前記画面合成回路により合成された画像信号のうち色によるキャリア成分を除去するフィルターと、
該フィルターを通過させることにより得られた輝度信号と、前記乗算器の出力信号とを加算する加算器と
を有する固体撮像装置。
【請求項７】
複数に分割された画素領域と、分割された前記画素領域毎に画素信号を読み出す手段と、を有する固体撮像装置であって、
分割された前記画素領域毎に画像信号の電力値を検出し、分割された前記画素領域のそれぞれにおける前記電力値が近づくように画像信号を補正する補正回路を備えた固体撮像装置。
【請求項８】
前記ノイズの検出は、分割された画素領域毎の画像データの合成前に行い、前記輪郭強調信号の生成は、分割された画素領域毎の画像データの合成後に行うことを特徴とする請求項３から７までのいずれか１項に記載の固体撮像装置。
【請求項９】
複数の入力画像信号列を処理する画像信号処理回路であって、
それぞれの入力画像信号列毎にノイズの振幅値を検出するノイズ検出手段と、該ノイズ検出手段により検出されたノイズの振幅値が、前記入力画像信号列のそれぞれにおいて近づくように画像信号を補正するための補正値を算出する補正値算出回路と、
複数の前記入力画像信号列を合成する信号列合成回路と、
該信号列合成回路により合成された画像信号に基づき前記複数の入力画像信号列における画素領域の輪郭を強調する輪郭強調信号を生成する輪郭強調信号発生回路と、
前記信号列合成回路により合成された画像信号に基づいて得られた輝度信号と、前記輪郭強調信号を前記補正値により補正した後の輪郭強調信号と、により輪郭強調された輝度信号を生成する手段と
を有する画像信号処理回路。
【請求項１０】
前記ノイズの検出は合成前に行い、前記輪郭強調信号の生成は、合成後に行うことを特徴とする請求項９に記載の画像信号処理装置。
【発明の詳細な説明】
【０００１】
【発明の属する技術分野】
本発明は、画素領域を複数に分割し、画素領域毎に画素信号を読み出す方式のＣＣＤ固体撮像装置及びそれを用いたビデオカメラに関する。
【０００２】
【従来の技術】
従来からデジタルスチルカメラやデジタルビデオカメラ用には、１本の水平転送ＣＣＤと１つの出力端子とを備えるＣＣＤ固体撮像素子が用いられてきた。多数本の垂直ＣＣＤに繋がる水平ＣＣＤが１本であると、ＣＣＤ固体撮像素子における画素数が増加しており、読み出し周波数を高くせざるを得ない。例えば、６８万画素の画素数を有するデジタルビデオカメラにおいては、読み出し周波数は一般的に２７ＭＨｚ程度である。画素数を２００万画素程度まで大きくすると、動作周波数を理論上、例えば７２ＭＨｚ程度まで高くする必要があるが、実際上は動作周波数を７２ＭＨｚまで上げるのは難しい。従って、前のフレームの信号電荷がフォトダイオード（光電変換素子）内に残留し、今回のフレームの信号電荷と混ざることにより、画質が落ちるという問題が生じる。
【０００３】
上記問題点を解決するために、ＣＣＤ固体撮像素子の画像領域を複数の領域に分割し、それぞれに水平転送ＣＣＤと出力アンプとを設け、複数の領域で並行して画像データを読み出す分割型固体撮像装置も開発されている。
【０００４】
上記分割型固体撮像装置の構成について図１を参照して説明する。図１に示す分割型固体撮像装置は、画素領域を複数（図では左右２領域）に分割し、領域毎に画素信号を読み出す手段を有する。より具体的には、分割された２領域における画素信号を、２本の水平転送ＣＣＤ４及び５により転送し、信号処理回路１１，１２に出力する。信号処理回路１１、１２において処理された信号を合成回路１３により１つの連続した画像に合成する。
【０００５】
図６は、上記分割型固体撮像装置を用いた単板式ビデオカメラの構成例を示す機能ブロック図である。レンズを通して被写体像が、ＣＣＤ固体撮像素子１の撮像面（厳密にはフォトダイオード２（図１）上）に結像され、画素（フォトダイオード）毎に光電変換され電気信号が得られる。
【０００６】
固体撮像素子１からの出力信号は、水平ＣＣＤ４又は５（図１）を共有するそれぞれの左右の画像領域単位でアンプ６、７（図１）を通って外部に出力される。左右の画像領域における画像データは、２組のＣＤＳ回路及びＡＤコンバータ１０２、１０３によりデジタルデータに変換され、信号処理回路１００に入力される。信号処理回路１００では、ＡＤコンバータ（１０２）および（１０３）の出力である右画像データと左画像データとに対して補正回路１０４により補正処理が行なわれた後、補正後の信号が２画面合成回路１０５に入力する。
【０００７】
２画面合成回路１０５では、左右分離されていた画像を１枚の画像データに合成し出力する。２画面合成回路１０５の出力は、ＹＨＬＰＦ回路１０６とＤＴＬ生成回路１０８とに出力される。ＹＨＬＰＦ回路１０６では、ローパスフィルタによりＣＣＤの色画素によるキャリア成分が除去され輝度信号が生成される。また、ＤＴＬ生成回路１０８では、２画面合成回路１０５の出力から輝度の輪郭強調信号が作成される。加算回路１０７においてＹＨＬＰＦ回路１０６の輝度信号出力とＤＴＬ生成回路１０８の出力信号が加算され輪郭強調された輝度信号が作成され、画像信号出力Ｓ２として出力される。
【０００８】
【発明が解決しようとする課題】
図６の２画面合成回路１０５によって画像データをつなぎ合わせ１枚の画像データに合成する際、左右の領域の画像データは、それぞれ別の水平転送ＣＣＤ、ＣＣＤ固体撮像素子の出力アンプ、ＣＤＳ回路、ＡＤコンバータを介して信号処理に入力されており、これらの各回路の特性や配線の引き回し方の違いなどに関連し、外部からのノイズの影響により左右の領域の画像データ間にノイズ成分の差が発生する。この振幅の異なるノイズ成分を含んだ左右領域の画像をそのままつなぎ合わせた場合、図７の左画像Ｌと右画像Ｒとで示されるように左右で画質が異なり、特につなぎ合わせの部分に認識できるほどの境界線が生成され、画質が劣化するという問題が生じる。
本発明の目的は、分割型固体撮像装置におけるつなぎ合わせ部分の境界線を目立たなくすることにより、画質の劣化を防止することである。
【０００９】
【課題を解決するための手段】
本発明ではこの問題を解決すべく、画像領域を左右２分割し領域毎に画素信号を読み出す手段を有するＣＣＤ撮像素子を用いたビデオカメラにおいて使用されるノイズ補正回路であって、左右の画像データに対するノイズ補正手段として、左右の画像データのノイズの振幅を検出する手段と、補正値を算出する手段と、輪郭強調信号と補正値を乗算する乗算回路を有することを特徴とするノイズ補正回路を設けることで、左右の画質の差による境界線の発生を抑え、画質劣化のない画像を実現する方式を提案するものである。
【００１０】
すなわち、本発明の一観点によれば、複数に分割された画素領域と、分割された前記画素領域毎に画素信号を読み出す手段と、を有する固体撮像装置であって、分割された前記画素領域毎に画像信号の特性値を検出し、分割された前記画素領域のそれぞれにおける前記特性値が近づくように画像信号を補正する補正回路を備えた固体撮像装置が提供される。
【００１１】
上記固体撮像装置によれば、ある特性値が分割された画素領域間で近づくように画像信号を補正するため、分割された画素領域を合成した際に分割されていたことによる画質の違いを低減することが出来る。
【００１２】
また、複数に分割された画素領域と、分割された前記画素領域毎に画素信号を読み出す手段と、を有する固体撮像装置であって、分割された前記画素領域毎に画像信号のノイズの振幅値を検出し、分割された前記画素領域のそれぞれにおける前記ノイズの振幅値が近づくように画像信号を補正する補正回路を備えた固体撮像装置が提供される。
【００１３】
ノイズ成分の差は、画素信号の差を代表する値であり、ノイズ成分の振幅値を近づけることで、分割された画素領域の画素信号を補正すれば、分割された画素領域を合成した際に分割されていたことによる画質の違いを低減することが出来る。
【００１４】
本発明の他の観点によれば、複数に分割された画素領域と、分割された前記画素領域毎に画素信号を読み出す手段と、を有する固体撮像装置であって、分割された前記画素領域毎に画像信号のノイズの振幅値を検出するノイズ検出手段と、該ノイズ検出手段により検出されたノイズの振幅値が、分割された前記画素領域のそれぞれにおいて近づくように画像信号を補正するための補正値を算出する補正値算出回路と、分割された前記画素領域の画面を合成する画面合成回路と、該画面合成回路により合成された画像信号に基づき前記画素領域の輪郭を強調する輪郭強調信号を生成する輪郭強調信号発生回路と、前記画面合成回路により合成された画像信号に基づいて得られた輝度信号と、前記輪郭強調信号を前記補正値により補正した後の輪郭強調信号と、により輪郭強調された輝度信号を生成する手段とを有する固体撮像装置が提供される。上記固体撮像装置によれば、ともに高域成分を主とするノイズ成分の補正値に基づいて、同じ高域成分を主とする輪郭強調信号を補正するため、補正の精度が向上する。
【００１５】
前記輪郭強調された輝度信号を、前記輝度信号と前記補正した後の輪郭強調信号とを加算することにより得るのが好ましい。前記輝度信号と前記補正した後の輪郭強調信号との加算により繋ぎ合わせ部分を簡単かつ精度良く補正できる。
【００１６】
本発明のさらに他の観点によれば、複数に分割された画素領域と、分割された前記画素領域毎に画素信号を読み出す手段と、を有する固体撮像装置であって、分割された前記画素領域毎に画像信号のノイズの振幅値を検出するノイズ検出手段と、該ノイズ検出手段により検出されたノイズの振幅値が、分割された前記画素領域のそれぞれにおいて近づくように画像信号を補正するための補正値を算出する補正値算出回路と、分割された前記画素領域の画面を合成する画面合成回路と、該画面合成回路により合成された画像信号に基づき前記画素領域の輪郭を強調する輪郭強調信号を生成する輪郭強調信号発生回路と、前記輪郭強調信号発生回路の出力値と前記補正値算出回路の出力値である補正値とを乗算する乗算器と、前記画面合成回路により合成された画像信号のうち色によるキャリア成分を除去するフィルターと、該フィルターを通過させることにより得られた輝度信号と、前記乗算器の出力信号とを加算する加算器とを有する固体撮像装置が提供される。
上記固体撮像装置によれば、分割された領域毎に得られた画素信号を精度良く合成することができる。
【００１７】
本発明の他の観点によれば、複数に分割された画素領域と、分割された前記画素領域毎に画素信号を読み出す手段と、を有する固体撮像装置であって、分割された前記画素領域毎に画像信号の電力値を検出し、分割された前記画素領域のそれぞれにおける前記電力値が近づくように画像信号を補正する補正回路を備えた固体撮像装置が提供される。電力値も画素信号を代表する値の１つであり、これによっても精度良く補正を行うことができる。
【００１８】
本発明の別観点によれば、複数の入力画像信号列を処理する画像信号処理回路であって、それぞれの入力画像信号列毎にノイズの振幅値を検出するノイズ検出手段と、該ノイズ検出手段により検出されたノイズの振幅値が、前記入力画像信号列のそれぞれにおいて近づくように画像信号を補正するための補正値を算出する補正値算出回路と、複数の前記入力画像信号列を合成する信号列合成回路と、該信号列合成回路により合成された画像信号に基づき前記複数の入力画像信号列における画素領域の輪郭を強調する輪郭強調信号を生成する輪郭強調信号発生回路と、前記信号列合成回路により合成された画像信号に基づいて得られた輝度信号と、前記輪郭強調信号を前記補正値により補正した後の輪郭強調信号と、により輪郭強調された輝度信号を生成する手段とを有する画像信号処理回路が提供される。
【００１９】
【発明の実施の形態】
本実施の形態による固体撮像装置について説明する前に、発明者の行った考察について、まず説明を行う。尚、以下の実施の形態においては、左右に並んだ２画面を合成する技術について説明するが、分割される画面数を限定するものではない。
【００２０】
発明者は、２画面の画像信号を２画面合成回路により合成する前に、それぞれのノイズ成分又は信号電力成分を検出し、両方のノイズ成分又は信号電力成分のうち少なくとも一方が、２画面で同じ又は近づくように補正を行えば、左右の画質の差による境界線の発生を抑え、画質劣化のない画像を実現することができると考えた。
【００２１】
実際に補正を行う場合には、両方のノイズ成分又は信号電力成分のうち少なくとも一方が、２画面で同じになるような補正係数を求める。求めた補正係数を、２画面合成後又は２画面合成前に、画像信号に対して乗算し、左右の画像信号のノイズ成分又は信号電力成分のうち少なくとも一方が同じになる方向に補正すれば良い。
【００２２】
発明者は、さらに、一般的な固体撮像装置の信号回路中に備えられている輪郭補正回路（ＤＴＬ生成回路）を利用して補正を行う技術を思い付いた。輪郭補正回路は、固体撮像装置の画像（映像信号）の輪郭部分を強調したり、ぼかしたりするための回路であり、映像信号の輪郭のみの信号成分を取り出して、元の信号に加算することで輪郭を強調させるのが一般的である。さらに、画像に含まれるノイズ成分は、高域の周波数成分を持つことから、高域の周波数成分を分離し、強調するＤＴＬ生成回路の出力である輪郭強調信号に多く含まれている左右の画像のノイズによる画質の差は、ＤＴＬ生成回路の出力に含まれるノイズ成分に影響される。そのため、ＤＴＬ生成回路の出力に対してノイズ補正をかけることで、左右の画像のノイズに起因する画質の差を少なくすることができる。
【００２３】
さらに、輪郭強調信号は、２画面の境界近傍の画像信号を多く含むため、全体の信号に対して補正を行う場合よりも、より簡単かつ精度良く補正を行うこともできる。
【００２４】
以上の考察に基づき、以下に、本発明の一実施の形態による固体撮像装置について、図面を参照して説明する。図１は、本実施の形態による固体撮像装置の概略構成を示す平面図である。図２は、本実施の形態による固体撮像装置に用いられるノイズ補正回路を含む固体撮像装置の構成を機能ブロック図である。
【００２５】
図１に示すように、画素領域を複数（図では左右２領域）に分割し、領域毎に画素信号を読み出す手段を有する。より具体的には、マイクロレンズを通して被写体像がＣＣＤ固体撮像装置１の撮像面上に行列状に整列配置されたフォトダーオード（光電変換素子）２に結像・入射し、被写体像が画素毎に電気信号に変換される。変換された電気信号は、垂直電荷転送路（ＶＣＣＤ）内に入り、駆動回路により水平電荷転送路（ＨＣＣＤ）の方向に向けて転送される。分割された２領域における画素信号は、２本のＨＣＣＤ４・５に入り、駆動回路によりＨＣＣＤ４・５中をアンプ６・７の方向に転送され、増幅された画像信号が信号処理回路１１・１２に出力する。信号処理回路１１・１２において処理された信号が合成回路１３により１つの連続した画像に合成する。固体撮像装置１の出力は、左右の画像領域についてそれぞれ画像データ信号が出力される。図２に示すように、ＣＣＤ固体撮像装置２１の左右の領域により取得された画像データは、２組のＣＤＳ回路およびＡＤコンバータ２２、２３によりデジタルデータに変換され、信号処理回路２０に入力される。
【００２６】
信号処理回路２０では、ＡＤコンバータ２２および２３の出力である右画像データと左画像データに対して、補正回路２４により非線形特性の補正などの一般的な補正処理が行なわれた後の右画像データ信号と左画像データ信号とが、２画面合成回路２５とノイズ検出回路３０とにそれぞれ入力される。２画面合成回路２５では左右の画像データ信号を合成し、左右分離されていた画像を１枚の画像データとして出力する。
【００２７】
図５を参照して、２画面合成回路の動作を説明する。図５の水平走査期間（１Ｈ）７１において、右画像データ７２と左画像データ７３とが例えば同じタイミングで図２に示すように２画面合成回路２５に入力する。２画面合成回路２５は、合成回路出力に示すタイミングで、左画像データ７３を入力の順番と同じ順で合成用左画像データ７４に示すように出力する。その後、２画面合成回路２５は、右画像データ７２を合成用左画像データ７４に示す入力の順番と逆順で、画像データ７５に示す出力タイミングで出力することにより、水平２画面の合成画像データ７４・７５を１画面上に合成することができる。
【００２８】
すなわち、右画像データ７２の画像信号がＲ１……Ｒｎの順に入力され、左画像データ７３の画像信号がＬ１、……Ｌｎの順に入力されることにより、２画面合成回路７５の出力はＬ１、……、Ｌｎ，Ｒｎ、……Ｒ１の並びで出力される。
【００２９】
図２に示す２画面合成回路２５の出力は、ＹＨＬＰＦ回路２６とＤＴＬ生成回路２８とに入力される。ＹＨＬＰＦ回路２６は、ローパスフィルタによりＣＣＤの色フィルタによるキャリア成分が除去し、輝度信号Ｙを生成する。また、ＤＲＬ生成回路２８は、２画面合成回路２５の出力に基づき、輝度信号Ｙに関する輪郭強調信号を生成する。
【００３０】
ノイズ検出回路３０は、補正回路２４から出力された左右の画像データのそれぞれからノイズ成分を取り出し、左右の画像データのそれぞれの中に含まれるノイズ信号の振幅値を算出する。ノイズ検出回路３０の出力は、補正値算出回路３１において、例えば、左右の画像データに含まれるノイズ成分の振幅を近づけ、好ましくは同じ値にする補正値（補正係数）を求める。補正値算出回路３１の出力である補正値とＤＴＬ生成回路２８の出力信号とを、乗算回路２９により乗算することで信号の振幅が調整される。加算回路２７は、振幅が調整された信号と、ＹＨＬＰＦ回路２６の輝度信号出力とを加算し、左右の画像データのノイズ調整が行われるとともに、輪郭強調された輝度信号が作成され、画像信号出力Ｓ１として出力される。
【００３１】
図４は、ノイズ検出回路３０（図１）の詳細な構成を示す機能ブロック図である。図４に示すように、ノイズ検出回路３０（図１）は、全波整流回路６３・６４と、低域通過フィルタ（ＬＰＦ）６５・６６と、積分回路６７・６８とを有している。左画像データ入力６１と右画像データ６２とは、それぞれが入力する全波整流回路６３・６４において検波され、低域通過フィルタ（ＬＰＦ）６５・６６において平均値化された後、積分回路６７・６８を経ることにより、左右の各画像領域でのノイズの平均振幅値６９・７０を求めることができる。
【００３２】
次に、補正処理の一例について図３を参照して説明する。図３は、一様な輝度分布を持つ被写体を撮影した状態を仮定し、画像信号中からノイズ成分のみ抽出した信号を示す図である。図３の符号４１は水平同期パルスを示しており、ある一定周期毎に同期用パルス信号が出力されている。図３の符号４２に示すように、左右の画像入力信号（画像データ）は、前半に左画像データが位置し、後半に右画像データが位置する。この際、図１のノイズ検出回路３０において検出される左画像データと右画像データとに含まれるノイズ成分の振幅は、例えば符号４６と符号４７とで示されるように左右で差が発生している場合が多い（図の場合は、左画像信号の振幅が大きく、右画像信号の振幅が小さい。）これらの異なる振幅値が同じになるように、ＤＴＬ補正値４３として、左画像ノイズ振幅補正値４８と右画像ノイズ振幅補正値４９とを求める。
【００３３】
この振幅値補正値４８・４９を用いて、図１に示す補正値算出回路３１において、左右の画像データのそれぞれについて適正な補正値を算出し、図３の符号４３に示すように、画像信号入力４２の出力タイミングに合わせて前半部分４８と後半部分４９とに補正値が出力されるように切替える。
【００３４】
乗算回路２９（図１）において、補正値算出回路３１（図１）の出力４３（図３）とＤＴＬ生成回路２８（図１）の出力とが乗算される。これにより、図３の符号４４で示すように、左画像のノイズ振幅５０と右画像のノイズ振幅５１とがほぼ等しくなり、ノイズに起因する左右の画像における画質の差を小さくすることができる。
【００３５】
ところで、上述のように画像中に含まれるノイズ成分は、高域（高周波領域）の周波数成分を持つ。高域の周波数成分を分離し強調するための回路であるＤＴＬ（輪郭補正）生成回路２８（図１）の出力である輪郭強調信号にもノイズ成分が多く含まれている。左右の画像信号中のノイズと、ＤＴＬ生成回路２８の出力に含まれるノイズとは、共に主として高域の周波数成分を有している。従って、ＤＴＬ生成回路２８の出力と、ノイズに基づく補正係数と、を乗算することにより、左右の画像のノイズによる画質の差が出ないように抑えることが可能となる。
【００３６】
以上、本実施の形態による固体撮像装置によれば、画像領域を左右２分割し領域毎に画素信号を読み出す手段を有するＣＣＤ固体撮像装置を用いた例えばビデオカメラにおいて、左右の画像データに含まれるノイズの振幅の差による画像の左右の画質の差異にて生じるつなぎ合わせの部分での境界線の発生を抑制することができ、画素数が大きい場合や動画撮影などの場合でも、画像劣化の少ないデジタルビデオカメラを提供することができる。
【００３７】
尚、上記実施の形態においては、ノイズの振幅の最大値が左右で等しくなるように補正を行ったが、振幅の平均値が等しくなるように補正しても良いし、電力の２重平均が等しくなるように補正しても良い。また、左右２画面分割でない分割形態についても、同様の技術を用いることにより、補正を行うことができる。また、本実施の形態においては、固体撮像装置の信号処理回路に一般的に含まれているＤＴＬ回路を利用して左右の画質の調整を行ったが、専用のＤＴＬ回路を用いても良い。さらに、例えば簡単な方法として、２画面合成前に左右の画面の映像信号のノイズを検出し、ＴＨＬＰＦ出力前又は出力後の信号に対して、最終的な画像出力左右の映像信号のノイズ成分の振幅が等しくなるように画像信号を補正しても良い。例えば、ノイズ検出回路と補正値算出回路とを設け、その出力値によりＴＨＬＰＦ出力前又は出力後の信号を補正すれば、簡便な補正を行うことができる。また、ノイズ大とノイズ小の例えば平均値に合わせるように補正値を決めることもできる。
【００３８】
以上、実施の形態に沿って本発明を説明したが、本発明はこれらに制限されるものではない。その他、種々の変更、改良、組み合わせが可能なことは当業者に自明であろう。例えば、固体撮像装置としては、ＣＣＤ固体撮像装置を例にして説明したが、ＭＯＳ型固体撮像装置でも同様に領域を分割した形態の装置に適用可能である。また、デジタルビデオカメラ以外にも、デジタルスチルカメラ又は動画撮影機能付きのデジタルスチルカメラ、撮影機能付き携帯電話、パーソナルコンピュータ（ＰＣ）などにも適用可能である。
【００３９】
【発明の効果】
本発明の固体撮像装置によれば、画像領域を分割し、分割領域毎に画素信号を読み出す方式において、分割された領域毎の画像データ中に含まれるノイズの振幅の差による画像の左右の画質の差異に起因するつなぎ合わせの部分での境界線の発生が抑えられ、画素数が大きい場合や動画撮影などの場合でも画像劣化のない画像を提供できる。
【図面の簡単な説明】
【図１】本発明の一実施の形態による固体撮像装置の概略構造を示す平面図である。
【図２】本発明の一実施の形態による固体撮像装置のうち、特に信号処理回路の構成を示す機能ブロック図である。
【図３】図２に示す信号処理回路における補正処理の流れの概要を示す図である。
【図４】図２に示す信号処理回路中のノイズ検出回路の概略構成を示す機能ブロック図である。
【図５】図２に示す信号処理回路中の合成回路における信号処理の流れの概要を示す図である。
【図６】一般的な２画面合成型固体撮像装置の概略構成を示す機能ブロック図である。
【図７】図６に示す一般的な２画面合成型固体撮像装置における問題点を説明するための図である。
【符号の説明】
１、２１…ＣＣＤ固体撮像装置、２…光電変換素子（フォトダイオード）、３…垂直電荷転送路（ＶＣＣＤ）、４，５…水平電荷転送路（ＨＣＣＤ）、６、７…増幅回路（アンプ）、１１，１２…信号処理回路、１３…合成回路、２２、２３…ＣＤＳ（相関２重サンプリング回路）、ＡＤＣ（ＡＤ変換回路）、２４…補正回路、２５…２画面合成回路、２６…ＹＨＬＰＦ、２７…加算器、２８…ＤＴＬ生成回路（輪郭信号生成回路）、２９…乗算器、３０…ノイズ検出回路、３１…補正値算出回路、６３、６４…全波整流器、６５、６６…ＬＰＦ、６７、６８…積分回路。
【図１】
2004128725.tif 000003
【図２】
2004128725.tif 000004
【図３】
2004128725.tif 000005
【図４】
2004128725.tif 000006
【図５】
2004128725.tif 000007
【図６】
2004128725.tif 000008
【図７】
2004128725.tif 000009